(57)【特許請求の範囲】
【請求項１】
携帯機器に取り付けられたバンドを締結するための三つ折れ中留、二つ折れ中留、観音開き中留、シングルタイプ中留等で、プッシュボタンのプッシュ操作によりバンドの締結を解除する中留において、前記中留の中留本体の上面および側面のそれぞれ少なくとも一部と、前記プッシュボタンとを弾性体で装飾性を有し、前記バンドの短手方向断面が略コの字型をなして上面および両側面を有し下面側に開口するカバー部材で覆うように該カバー部材を前記中留本体に取り付け固定すると共に、前記カバー部材の前記側面の内側には前記中留本体から側方に突出する前記プッシュボタンを収納する凹部を設け、該凹部に対応する前記カバー部材の側面の外側には前記プッシュボタンをプッシュ操作するための凸部を設けたことを特徴とする中留のカバー部材構造。
【請求項２】
前記カバー部材は、バンド短手方向断面の両端の開口部方向に前記中留本体に取り付け固定するための突起部が設けられていることを特徴とする請求項１記載の中留のカバー部材構造。
【請求項３】
前記カバー部材は、バンド短手方向断面が略コの字形で、両側壁にバネ棒、ピン、またはネジの取り付け部材により前記中留に取り付け固定するための孔が複数個設けられていることを特徴とする請求項１または請求項２記載の中留のカバー部材構造。
【請求項４】
前記取り付け部材の先端は、軸径より径大であり、前記先端は、前記カバー部材の側面に設けた、前記軸径よりも径大で前記先端の外径よりも径小なる穴を貫通して前記カバー部材の側面に露出していることを特徴とする請求項３記載の中留のカバー部材構造。
【請求項５】
前記取り付け部材は、前記中留を構成するための部品またはバンドを連結するための部品を兼ねていることを特徴とする請求項３または請求項４記載の中留のカバー部材構造。
【請求項６】
前記カバー部材の上面には、前記中留本体の上面の一部を露出させる窓を設けたことを特徴とする請求項１から５のいずれか１項に記載の中留のカバー部材構造。
【発明の詳細な説明】
【０００１】
【発明の属する技術分野】
本発明は、携帯器機に取り付けられたバンドを腕に装着するための中留に関するものである。
【０００２】
【従来の技術】
携帯器機に取り付けられたバンドを腕に装着するための中留の従来例としては、三つ折れ中留、二つ折れ中留、観音開き中留、シングルタイブ中留、更にプッシュボタンのプッシュ操作によりバンドの締結を解除する中留等が開示され、既に実用化されている。以下に代表的な中留の従来例について図面に基づいて説明する。
【０００３】
第１の従来例として、一般的な三つ折れ中留の斜視図を図１０に示す。図１０に示すように、従来の三つ折れ中留１０は、表板１１、中板１２及び裏板１３で構成されている。前記中板１２の先端に軸受用筒部１２ａを設け、該軸受用筒部１２ａに、ばね棒１５を回転自在に挿着する。該ばね棒１５の両端を表板１１の側壁１１ａ、１１ｂの先端部に設けた孔１１ｅ、１１ｆに内側から回転自在に挿着して表板１１と中板１２を連結し、中板１２の基端は、軸１７にて裏板１３に連結している。又、裏板１３は先端に前記ばね棒１５に内側から掛脱する掛止爪１３ａを設け、更に該掛止爪１３ａの両側に筒部１３ｂを設けてバンド１９ａにピンで止め連結する。又、他半のバンド１９ｂは表板１１にばね棒１６で連結されている。前記三つ折れ中留１０は、折畳み時に表板１１を裏板１３上に被せ乗せ、裏板１３上に設けた掛止爪１３ａにて内側から前記ばね棒１５と掛止させ、この掛止を解くことにより三つ折れ中留１０を展開させるものである。尚、この従来技術については、公開実用新案公報（実開平７−９１１７号）に開示されている。
【０００４】
次に第２の従来例として、両プッシュ式シングルタイプ中留を図１１、図１２に示す。図１１は、斜視図、図１２は、主要部の横断面図である。図１１、図１２において、両プッシュ式シングルタイプ中留３０は、時計バンドの一方のバンド先端３９ａにばね棒３６を介して回転自在に配設された中留本体３１と、前記中留本体３１の先端に回転自在に配設された蓋３２とを備える。中留本体３１は、蓋３２が重接する段部４０が形成されている。又、中留本体３１の後端には、二つのバンド取付凸部３３ａ、３３ｂが形成され、側壁３１ａ、３１ｂに前記ばね棒３６を取り付けるための孔３１ｃ、３１ｄが設けられている。更に、中留本体３１の側壁３１ａ、３１ｂのほぼ中央付近には貫通溝３４が設けられ、該貫通溝３４に一対のプッシュボタン３７がバンドの幅方向に移動自在に内蔵され、且つ抜け留めされている。又、前記プッシュボタン３７は、先端部の略中央部に半円弧状のロック係合部４２が設けられている。又、蓋３２の下面には、先端に斜面部を有す係止部３２ａが形成されている。
【０００５】
前記両プッシュ式シングルタイプ中留を装着する時は、他方のバンドの先端３９ｂに取り付けられたばね棒３５の下方より蓋３２を挿入して、蓋３２を支点ピン４３の回りに回動させ、中留本体３１の上方より押圧することにより、係止部３２ａが段部４０に設けられた係止穴４１より挿入しプッシュボタン３７のロック係合部４２を押し広げ、係止部３２ａが係合することにより、蓋３２と中留本体３１が結ばれ、一方のバンドと他方のバンドとが連結される。
脱着するには、両方のプッシュボタン３７を左右から押圧し、蓋３２の係止部３２ａとプッシュボタン３７のロック係合部４２との係止を解除することにより、蓋３２を開き、ばね棒３５とバンドの先端３９ｂの間から蓋３２を抜き取る事により、脱着が完了する。この従来技術については、実用新案登録公報（第２５４４８６５号）に開示されている。
【０００６】
次に第３の従来例として、両プッシュ式三つ折れ中留の斜視図を図１３に示す。図１３に示すように、両プッシュ式三つ折れ中留２０は、プッシュボタン２７及び係合部を内蔵した中留本体２１、係止穴２２ａを備えた中板２２及び係止部２３ａを備えた裏板２３で構成されている。前記中板２２の先端に軸受用筒部２２ｂを設け、該筒部２２ｂに、ばね棒２５を回転自在に挿着する。該ばね棒２５の両端を中留本体２１の側壁２１ａ、２１ｂの先端部に設けた孔２１ｃ、２１ｄに内側から回転自在に挿着して中留本体２１と中板２２を連結し、中板２２の基端は、裏板２３に連結している。又、裏板２３は先端に筒部２３ｂを設けてバンド２９ａにピンで止め連結する。又、他半のバンド２９ｂは中留本体２１にばね棒２６で連結されている。前記両プッシュ式三つ折れ中留２０においては、折畳み時に中留本体２１を裏板２３上に被せ乗せ、裏板２３上に設けた係止部２３ａを中板２２に設けた係合穴２２ａに挿入し、前記係止部２３ａを前記係合部、すなわち一方及び他方のプッシュボタン２５の互いに対向する係合部に係合して装着する。又、前記プッシュボタン２５の操作は、第２の従来例として説明した両プッシュ式シングルタイプ中留３０におけるプッシュボタンの操作作動と同様であるため説明は省略する。
また、上記の他に二つ折れ中留、観音開き中留、及びこれらのプッシュ式も知られている。これらの従来技術は、特許公開公報（特開平５６４２５）、公告実用新案公報（実公平７−３７５２８号）等に開示されている。
【０００７】
【発明が解決しようとする課題】
しかしながら従来例における中留は、他の部材と強く接触した場合、中留自体にキズが付いたり、中留の故障の原因ともなっていた。又、金属製の中留の場合は、強く接触した外部の他の部材や、製品にキズを付けることがあった。一方、プッシュ式中留で、特に、女性用時計に付けられた中留のプッシュボタンは小さいため、プッシュボタンが操作しにくいという間題があった。又、金属製の中留においては、デザインが画一的になりがちであり、デザインバリエーションの拡大が望まれていた。
【０００８】
本発明の目的は、上記の間題点を解決し、中留自体のキズ及び故障を防止すると共にに他の製品にキズを付けることをを防止し、更にプッシュ式中留におけるプッシュボタンの操作性を向上させ、併せてデザインバリエーションの拡大が可能な中留のカバー部材構造を提供するものである。
【０００９】
【課題を解決するための手段】
前述した目的を達成するために、本発明のうちで請求項１の発明に係わる中留のカバー部材構造は、携帯機器に取り付けられたバンドを締結するための三つ折れ中留、二つ折れ中留、観音開き中留、シングルタイプ中留等で、プッシュボタンのプッシュ操作によりバンドの締結を解除する中留において、前記中留の中留本体の上面および側面のそれぞれ少なくとも一部と、前記プッシュボタンとを弾性体で装飾性を有し、前記バンドの短手方向断面が略コの字型をなして上面および両側面を有し下面側に開口するカバー部材で覆うように該カバー部材を前記中留本体に取り付け固定すると共に、前記カバー部材の前記側面の内側には前記中留本体から側方に突出する前記プッシュボタンを収納する凹部を設け、該凹部に対応する前記カバー部材の側面の外側には前記プッシュボタンをプッシュ操作するための凸部を設けたことを特徴とする。
【００１０】
また、本発明のうちで請求項２の発明に係わる中留のカバー部材構造は、請求項１記載の中留のカバー部材構造において、前記カバー部材は、バンド短手方向断面の両端の開口部方向に前記中留本体に取り付け固定するための突起部が設けられていることを特徴とする。
【００１１】
また、本発明のうちで請求項３の発明に係わる中留のカバー部材構造は、請求項１または請求項２記載の中留のカバー部材構造において、前記カバー部材は、バンド短手方向断面が略コの字形で、両端の開口部方向に前記中留に取り付け固定するための孔が複数個設けられていることを特徴とする。
【００１２】
また、本発明のうちで請求項４の発明に係わる中留のカバー部材構造は、請求項３記載の中留のカバー部材構造において、前記取り付け部材の先端は、軸径より径大であり、前記先端は、前記カバー部材の側面に設けた、前記軸径よりも径大で前記先端の外径よりも径小なる穴を貫通して前記カバー部材の側面に露出していることを特徴とする。
【００１３】
また、本発明のうちで請求項５の発明に係わる中留のカバー部材構造は、請求項３または請求項４記載の中留のカバー部材構造において、前記取り付け部材は、前記中留を構成するための部品またはバンドを連結するための部品を兼ねていることを特徴とする。
【００１４】
また、本発明のうちで請求項６の発明に係わる中留のカバー部材構造は、請求項１から請求項５のいずれか１項に記載の中留のカバー部材構造において、前記カバー部材の上面には、前記中留本体の上面の一部を露出させる窓を設けたことを特徴とする。
【００１６】
【発明の実施の形態】
（第１の実施形態）
以下、本発明の第１の実施形態を図１、図２に基づいて説明する。図１は本実施形態における三つ折れ中留のカバー部材構造を示す分解斜視図で、カバー部材を中留に取り付ける前の状態を示す。図２は、カバー部材を三つ折れ中留に取り付けた状態のカバー部材構造を示し、図２（ａ）は、三つ折れ中留のカバー部材構造の斜視図、図２（ｂ）は、図２（ａ）における三つ折れ中留のカバー部材構造のＧーＧ断面を示す縦断面図である。前記三つ折れ中留は、従来技術で説明した一般的な三つ折れ中留と同様であり、同一部品については、同一番号を付し、構造、操作の説明は省略する。
【００１７】
本実施形態における三つ折れ中留のカバー部材構造は、図１、図２に示すように三つ折れ中留１０の表板１１の表面を、弾性を有するゴム材からなるカバー部材１８で覆うように取り付け固定したことを特徴とする。又、前記カバー部材１８は、図２（ｂ）に示すように、バンド短手方向断面が略コの字形で、両端の開口部１８ｅ方向、即ちカバー部材の両側壁１８ａ、１８ｂの開口部１８ｅ方向の先端に前記中留表板１１に取り付け固定するための突起部１８ｃ、１８ｄが設けられている。該突起部１８ｃ、１８ｄは、それぞれ前記カバー部材の両側壁１８ａ、１８ｂからバンド短手方向の内側に向かって突出するように形成され、且つ前記両側壁１８ａ、１８ｂのバンド長手方向の全長に亘って形成されている。又、カバー部材１８の内側の形状は、中留の表板の外側の形状と概略相似形である。
【００１８】
前記カバー部材１８を前記中留表板１１の表面に取り付ける場合は、カバー部材１８の両突起部１８ｃ、１８ｄをバンド短手方向の外側に開きながら、カバー部材の開口部１８ｅの方向から中留表板１１を挿入し、カバー部材１８の両突起部１８ｃ、１８ｄを中留表板の側壁の下面１１ｃ、１１ｄにそれぞれ掛止めさせ固定する。
【００１９】
また、前記カバー部材１８を前記中留表板１１から取り外す場合は、カバー部材１８の一方の側壁１８ａの開口部１８ｅ方向の先端をバンド短手方向の外側に向かって広げ、カバー部材１８の突起部１８ｃと中留表板の側壁１１ａの下面１１ｃとの掛止めを解除し、その後、他方の側壁１８ｂの突起部１８ｄと中留表板の側壁１１ｂの下面１１ｄとの掛止めを解除して、カバー部材１８を前記中留表板１１から引き離すようにして取り外す。
【００２０】
以上のように、本実施形態における三つ折れ中留のカバー部材構造によれば、カバー部材１８と中留表板１１との取り付け、取り外しは、カバー部材１８の材質がゴムであり、適度な弾性を有することから容易に行うことができる。
【００２１】
又、本実施形態における三つ折れ中留のカバー部材構造によれば、取り付けたカバー部材１８が弾性を有することにより、中留自体にキズを付けることを防止できるとともに、外部の他の部材と強く接触した場合でも、その衝撃をカバー部材１８が吸収し、中留の故障を防止することができる。更に、接触した外部の他の部材や、製品にキズを付けることを防止することもできる。又、カバー部材１８は、金型を用いた成型により、形状や色、模様を付加すること等が容易に出来、装飾性に優れるため中留のデザインバリエーションを拡大することができる。
【００２２】
（第２の実施形態）
次に、本発明の第２の実施形態を図３、図４、図５、図６に基づいて説明する。図３は本実施形態における両プッシュ式三つ折れ中留のカバー部材構造の斜視図で、カバー部材を中留に取り付ける前の状態を示す。図４は、カバー部材を両プッシュ式三つ折れ中留に取り付けた状態のカバー部材構造を示す斜視図で、図４（ａ）は、両プッシュ式三つ折れ中留のカバー部材構造の斜視図、図４（ｂ）は、図４（ａ）に示す両プッシュ式三つ折れ中留のカバー部材構造におけるＡ−Ａ断面を示す縦断面図である。図５は、図４（ａ）に示す両プッシュ式三つ折れ中留のカバー部材構造におけるＢ−Ｂ断面を示す縦断面図である。図６は、図４（ａ）に示す両プッシュ式三つ折れ中留のカバー部材構造におけるＣ−Ｃ断面を示す縦断面図である。又、前記両プッシュ式三つ折れ中留は、従来技術で説明した一般的な両プッシュ式三つ折れ中留と同様であり、同一部品については、同一番号を付し、構造、操作の説明は省略する。
【００２３】
本実施形態における両プッシュ式三つ折れ中留のカバー部材構造は、図３に示すように両プッシュ式三つ折れ中留２０の中留本体２１の表面の一部を、弾性を有するゴム材からなるカバー部材２８で覆うように取り付け固定する構造になっている。前記中留本体２１は、図３、図５に示すように側壁２１ａ、２１ｂの一方の先端部に設けた孔２４ａ、２４ｂに、ばね棒５５を挿着して中板２２と連結されている。又、図６に示すように他方の先端部に設けた孔２４ｃ、２４ｄに、ばね棒５６を挿着してバンド２９ｂと連結されている。
【００２４】
前記ばね棒５５は、図３、図５に示すように前記中留本体２１と中板２２とを連結した状態において、前記ばね棒５５の先端５５ａ、５５ｂが、前記中留本体２１の側壁２１ａ、２１ｂに設ける孔２４ａ、２４ｂを挿通し、前記中留本体２１のバンド短手方向に両側壁２１ａ、２１ｂより突出するようになっている。
前記ばね棒５５の先端５５ａ、５５ｂは、略半球状のきのこ状形状であり、前記ばね棒の先端５５ａ、５５ｂの直径は、前記ばね棒５５の軸５５ｃ、５５ｄの軸径より径大に形成されている。又、図３、図６に示すように、ばね棒５６の先端５６ａ、５６ｂも同様に前記中留本体２１の側壁２１ａ、２１ｂに設ける孔２４ｃ、２４ｄを挿通し、前記中留本体２１のバンド短手方向に両側壁２１ａ、２１ｂより突出している。更に、前記ばね棒５６の先端５６ａ、５６ｂも同様に、略半球状のきのこ状形状であり、前記ばね棒の先端５６ａ、５６ｂの直径は、前記ばね棒５６の軸５６ｃ、５６ｄの軸径より径大に形成されている。
【００２５】
又、前記カバー部材２８は、図３、図４（ａ）、図５に示すように、バンド短手方向断面が略コの字形で、両側壁２８ａ、２８ｂの一端の近傍に取り付け部材としてのバネ棒５５により前記中留本体２１に取り付け固定するための段付穴５４ａ、５４ｂが設けられている。前記段付穴５４ａ、５４ｂは、前記側壁２８ａ、２８ｂをそれぞれ貫通する孔２８ｃ、２８ｄ、及び前記孔２８ｃ、２８ｄと同心円上で、前記側壁２８ａ、２８ｂの外側にそれぞれ設ける座ぐり穴５３ａ、５３ｂを有する。又、図６に示すように両側壁２８ａ、２８ｂの他端の近傍にも、バネ棒５６により前記中留本体２１に取り付け固定するための段付穴５４ｃ、５４ｄが設けられており、前記段付穴５４ｃ、５４ｄは、前記側壁２８ａ、２８ｂをそれぞれ貫通する孔２８ｅ、２８ｆ、及び前記孔２８ｅ、２８ｆと同心円上で、前記側壁２８ａ、２８ｂの外側にそれぞれ設ける座ぐり穴５３ｃ、５３ｄを有する。
【００２６】
又、前記カバー部材２８の内側の形状は、中留本体２１の外側の形状と概略相似形であり、図３、図４（ｂ）に示すように、前記両側壁２８ａ、２８ｂの内側中央付近には、前記中留本体２１に設けるプッシュボタン２７を収納するための凹部５２がそれぞれ形成されている。更に、前記凹部５２に対応し、前記両側壁２８ａ、２８ｂの外側中央付近に前記プッシュボタン２７を操作するための凸部５１がそれぞれ設けられている。又、前記カバー部材２８の上面には、装飾的効果を有する窓２８ｈが設けられ、前記中留本体２１の上面２１ｅの一部が露出して見えるようになっている。
【００２７】
又、図５に示すように前記カバー部材２８の側壁２８ａ、２８ｂの一端に形成されている段付穴５４ａ、５４ｂにおける孔２８ｃ、２８ｄの直径は、前記中板２２と中留本体２１を連結するためのばね棒５５の軸５５ｃ、５５ｄの軸径より径大で、且つ前記ばね棒５５の先端５５ａ、５５ｂの直径より、径小に設定されている。又、前記座ぐり穴５３ａ、５３ｂの穴径は、前記ばね棒５５の先端５５ａ、５５ｂの直径より径大に設定されている。又、前記カバー部材２８の側壁２８ａ、２８ｂの他端に形成される段付穴５４ｃ、５４ｄは、前記段付穴５４ａ、５４ｂと同様に各部の寸法が設定されており、前記中留本体２１とバンド２９ｂとを連結するばね棒５６も前記ばね棒５５と同様に各部の寸法が設定されている。
以上のように、取り付け部材としての前記ばね棒５５、５６は、前記中留本体２１とカバー部材２８を取り付け固定する部品であると共に、前記中留２０を構成するための部品である中板２２、またはバンド２９ｂを連結するための部品を兼ねている。
【００２８】
前記カバー部材２８を前記中留本体２１の表面に取り付ける場合は、カバー部材２８の両側壁２８ａ、２８ｂをバンド短手方向の外側に開きながら、カバー部材の開口部２８ｇの方向から中留本体２１を挿入する。更に中留本体２１の上面２１ｅがカバー部材２８の裏面に接した状態で、前記プッシュボタン２７をカバー部材２８の凹部５２に収納しながら、カバー部材２８の両側壁２８ａ、２８ｂに設ける段付穴５４ａ、５４ｂに、ばね棒５５の先端５５ａ、５５ｂを挿入すると共に、前記段付穴５４ｃ、５４ｄに、ばね棒５６の先端５６ａ、５６ｂを挿入する。
この時、前記段付穴５４ａ、５４ｂの孔２８ｃ、２８ｄの孔径は前記ばね棒５５の先端５５ａ、５５ｂの外径より径小であるが、前記カバー部材２８の材質が適度な弾性を有するため前記ばね棒５５の先端５５ａ、５５ｂは、前記孔２８ｃ、２８ｄを挿通し、前記段付穴５４ａ、５４ｂに固定される。又、前記ばね棒５６についても同様に前記段付穴５４ｃ、５４ｄに固定される。これによって、前記中留本体２１に前記カバー部材２８が取り付け固定される。
【００２９】
前記カバー部材２８を前記中留本体２１から取り外す場合は、カバー部材２８の一方の側壁２８ａの開口部２８ｇ方向の先端をバンド短手方向の外側に向かって広げ、カバー部材２８の側壁２８ａの段付穴５４ａ、５４ｃから、前記ばね棒５５、５６の一方の先端５５ａ、５６ａを引き抜き、カバー部材２８の側壁２８ａを中留本体２１の上方に持ち上げ、更に、カバー部材２８の他方の側壁２８ｂの開口部２８ｇ方向の先端をバンド短手方向の外側に向かって広げ、カバー部材２８の他方の側壁２８ｂの段付穴孔５４ｂ、５４ｄから、前記ばね棒５５、５６の他方の先端５５ｂ、５６ｂを引き抜く。その後、カバー部材２８を前記中留本体２１から引き離すようにして取り外す。
【００３０】
以上のように、本実施形態における両プッシュ式三つ折れ中留のカバー部材構造によれば、カバー部材２８と中留本体２１との取り付け、取り外しは、カバー部材２８の材質がゴムであり、適度な弾性を有することから容易に行うことができる。
【００３１】
又、本実施形態における両プッシュ式三つ折れ中留のプッシュボタンの操作は、前記カバー部材２８の両側壁に２８ａ、２８ｂに設ける両方の凸部５１を左右から押圧する。これによって、両方のプッシュボタン２７が左右から押圧され、従来例と同様に係合部と係止部の係止が解除され前記中留の脱着が行われる。
【００３２】
又、本実施形態における両プッシュ式三つ折れ中留のカバー部材構造によれば、第１の実施形態と同様の効果を得ることが出来る。又、カバー部材２８は、金型を用いた成型により製作出来るため、カバー部材２８の上面に装飾的効果を有する窓２８ｈを設けることが可能であり、更に中留のデザインバリエーションを拡大することができる。
【００３３】
（第３の実施形態）
次に、本発明の第３の実施形態を図７、図８、図９に基づいて説明する。図７は本実施形態における両プッシュ式シングルタイプ中留のカバー部材構造の分解斜視図で、カバー部材を中留に取り付ける前の状態を示す。図８は、カバー部材を両プッシュ式シングルタイプ中留に取り付けた状態のカバー部材構造を示す図で、図８（ａ）は、両プッシュ式シングルタイプ中留のカバー部材構造の斜視図、図８（ｂ）は、図８（ａ）における両プッシュ式シングルタイプ中留のカバー部材構造におけるＤ−Ｄ断面を示す縦断面図である。図９は、両プッシュ式シングルタイプ中留のカバー部材構造における断面図で、図９（ａ）は、図８（ａ）におけるＥ−Ｅ断面を示す縦断面図で、図９（ｂ）は、図８（ａ）におけるＦ−Ｆ断面を示す縦断面図である。又、前記両プッシュ式シングルタイプ中留は、従来技術で説明した一般的な両プッシュ式シングルタイプ中留と同様であり、同一部品については、同一番号を付し、構造、操作の説明は省略する。
【００３４】
本実施形態における両プッシュ式シングルタイプ中留のカバー部材構造は、図７、図８に示すように両プッシュ式シングルタイプ中留３０の中留本体３１の表面の一部を、弾性を有するゴム材からなるカバー部材３８で覆うように取り付け固定する構造になっている。前記中留本体３１の後端には、二つのバンド取付凸部３３ａ、３３ｂが形成され、その両側壁３１ａ、３１ｂに設けた孔４６ａ、４６ｂに、ばね棒４５を挿着してバンド３９ａと連結されている。
【００３５】
前記ばね棒４５は、図７（ｂ）、図９（ｂ）に示すように前記中留本体３１とバンド３９ａとを連結した状態において、前記ばね棒４５の先端４５ａ、４５ｂが、前記中留本体３１の側壁３１ａ、３１ｂにおける両バンド取付凸部３３ａ、３３ｂの部分に設ける孔４６ａ、４６ｂを挿通し、前記中留本体３１のバンド短手方向に両側壁３１ａ、３１ｂより突出するようになっている。
前記ばね棒４５の先端４５ａ、４５ｂは、略半球状のきのこ状形状であり、前記ばね棒の先端４５ａ、４５ｂの直径は、前記ばね棒４５の軸４５ｃ、４５ｄの軸径より径大に形成されている。
【００３６】
前記カバー部材３８は、図７（ａ）に示すように、バンド短手方向断面が略コの字形で、内側の形状は、中留本体３１の外側の形状と概略相似形である。又、上面３８ｈには、切欠４９が形成されている。前記切欠４９の形状は、前記中留本体３１の段部４０の形状に対応してほぼ同形状であり、前記中留の蓋３２の操作の為に設けられたものである。
【００３７】
又、図７（ａ）、図９（ａ）に示すように前記カバー部材３８の一端、即ち切欠４９が形成されている側の両側壁３８ａ、３８ｂの両端の開口部３８ｇ方向の先端に前記中留本体３１に取り付け固定するための突起部３８ｃ、３８ｄが設けられている。該突起部３８ｃ、３８ｄは、それぞれ前記カバー部材３８の両側壁３８ａ、３８ｂからバンド短手方向の内側に向かって突出するように形成され、且つ前記両側壁３８ａ、３８ｂのバンド長手方向の一部に形成されている。本実施形態においては、カバー部材３８の凸部４７の付近まで形成されている。
【００３８】
又、図７（ａ）、図９（ｂ）に示すように、前記カバー部材３８の両側壁３８ａ、３８ｂの他端の近傍に取り付け部材としてのバネ棒４５により前記中留本体３１に取り付け固定するための段付穴４４ａ、４４ｂが設けられている。前記段付穴４４ａ、４４ｂは、前記側壁３８ａ、３８ｂをそれぞれ貫通する孔３８ｅ、３８ｆ、及び前記孔３８ｅ、３８ｆと同心円上で、前記側壁３８ａ、３８ｂの外側にそれぞれ設ける座ぐり穴４３ａ、４３ｂを有する。
【００３９】
又、図８に示すように、前記両側壁３８ａ、３８ｂの内側中央付近には、前記中留本体３１に設けるプッシュボタン３７を収納するための凹部４８がそれぞれ形成されている。更に、前記凹部４８に対応し、前記両側壁３８ａ、３８ｂの外側中央付近に前記プッシュボタン３７を操作するための凸部４７がそれぞれ設けられている。
【００４０】
又、図９に示すように前記カバー部材３８の側壁３８ａ、３８ｂの他端に形成されている段付穴４４ａ、４４ｂにおける孔３８ｅ、３８ｆの直径は、前記バンド３９ａと中留本体３１を連結するためのばね棒４５の軸４５ｃ、４５ｄの軸径より径大で、且つ前記ばね棒４５の先端４５ａ、４５ｂの直径より、径小に設定されている。又、前記座ぐり穴４３ａ、４３ｂの穴径は、前記ばね棒４５の先端４５ａ、４５ｂの直径より径大に設定されている。以上のように、前記ばね棒４５は、前記中留本体３１とカバー部材３８を取り付け固定する部品であると共に、前記中留３０を構成するための部品であるバンド３９ａを連結するための部品を兼ねている。
【００４１】
前記カバー部材３８を前記中留本体３１の表面に取り付ける場合は、カバー部材３８の両突起部３８ｃ、３８ｄをバンド短手方向の外側に開きながら、カバー部材の開口部３８ｇの方向から中留本体３１の一端を挿入し、カバー部材３８の両突起部３８ｃ、３８ｄを中留本体３１の両側壁３１ａ、３１ｂの下面３１ｅ、３１ｆにそれぞれ掛止めさせ固定する。
【００４２】
更に、カバー部材３８の両側壁３８ａ、３８ｂの他端をバンド短手方向の外側に開きながら、カバー部材の開口部３８ｇの方向から中留本体３１の他端を挿入するとともに、前記プッシュボタン３７をカバー部材３８の凹部４８に収納しながら、カバー部材３８の両側壁３８ａ、３８ｂに設ける段付穴４４ａ、４４ｂに、ばね棒４５の先端４５ａ、４５ｂを挿入する。
【００４３】
この時、前記段付穴４４ａ、４４ｂの孔３８ｅ、３８ｆの孔径は前記ばね棒４５の先端４５ａ、４５ｂの外径より径小であるが、前記カバー部材３８の材質が適度な弾性を有するため前記ばね棒４５の先端４５ａ、４５ｂは、前記孔３８ｅ、３８ｆを挿通し、前記段付穴４４ａ、４４ｂに固定される。これによって、前記中留本体３１に前記カバー部材３８が取り付け固定される。
【００４４】
また、前記カバー部材３８を前記中留本体３１から取り外す場合は、カバー部材３８の両側壁３８ａ、３８ｂの開口部３８ｇ方向の先端をバンド短手方向の外側に向かって広げ、突起部３８ｃ、３８ｄと中留本体３１の両側壁３１ａ、３１ｂの下面３１ｃ、３１ｄとの掛止めを解除し、更にカバー部材３８の両側壁３８ａ、３８ｂの段付穴４４ａ、４４ｂから、前記ばね棒４５の先端４５ａ、４５ｂを引き抜く。その後、カバー部材３８を前記中留本体３１から引き離すようにして取り外す。
【００４５】
以上のように、本実施形態における両プッシュ式シングルタイプ中留のカバー部材構造によれば、カバー部材３８と中留本体３１との取り付け、取り外しは、カバー部材３８の材質がゴムであり、適度な弾性を有することから容易に行うことができる。
【００４６】
又、本実施形態における両プッシュ式シングルタイプ中留のプッシュボタンの操作は、前記カバー部材３８の両側壁に３８ａ、３８ｂに設ける両方の凸部４７を左右から押圧する。これによって、両方のプッシュボタン３７が左右から押圧され、従来例と同様に係合部と係止部の係止が解除され前記中留の脱着が行われる。
【００４７】
以上、本実施形態における両プッシュ式シングルタイプ中留３０のカバー部材構造によれば、第１の実施形態と同様の効果を得ることが出来る。特に女性用時計に付けられた中留においては、小さいプッシュボタンにカバー部材３８を取り付けることにより、押圧するボタンの面積が大きくなる上、押圧する指の感触もソフトになり、プッシュボタンの操作性を向上させることができる。
【００４８】
なお、上記実施形態において、カバー部材の材質は、適度な弾力性のあるゴムを例として説明したが適度な弾力性のある樹脂（プラスチック）材料でも良い。
又、中留のタイプについては、上記の実施形態で例として説明した他に、二つ折れ中留、観音開き中留、シングルタイプ中留、更に、これらのプッシュ式中留等、上記実施形態で説明した以外の中留においても同様にカバー部材を取り付けることが可能であり、同様の効果を得ることができる。
又、取り付け部材としては、ばね棒を例として説明したが、この他にピン、ネジ等でも同様にカバー部材を取り付けることが可能であり、同様の効果を得ることが出来る。
【００４９】
又、上記実施形態において、表板の側壁の孔又は中留本体の側壁の孔は、ばね棒の先端の略半球状のきのこ状形状が通過するため、ばね棒の軸径より大きく形成されているが、表板又は中留め本体にパイプ（ばね棒のパイプ）を装着し、先端に略半球状を有する軸をカバー部材の両側壁の孔より挿入すると共に、パイプの両端に挿入し、その後、パイプの両端を絞り込むか、又は圧入する事により、パイプに軸を固定する方法をとると、表板の側壁の孔径又は中留め本体の側壁の孔径と軸の径とを略同一径とする事が出来る。
又、ばね棒の軸の先端を略半球状のきのこ状形状としたが、ばね棒の軸先端の略半球状の部分を平らな平面として使用したり、又は、ばね棒の先端を軸と同一径のままとして使用しても、本構造が成立することは、言うまでもない。
【００５０】
【発明の効果】
以上述べたように本発明による中留のカバー部材構造によれば、取り付けたカバー部材が弾性を有することにより、中留自体にキズを付けることを防止できると共に、外部の他の部材と強く接触した場合でも、その衝撃をカバー部材が吸収し、中留の故障を防止することができる。更に、接触した外部の他の部材や、製品にキズを付けることを防止することもできる。又、カバー部材は、金型を用いた成型により製作することができるため、形状や色、模様を付加すること等が容易に出来、装飾性に優れるため中留のデザインバリエーションを拡大することができる。更に、女性用時計に付けられた中留においては、プッシュボタンの操作性を向上させることができる。
【図面の簡単な説明】
【図１】本発明の第１の実施形態における三つ折れ中留のカバー部材構造を示す分解斜視図である。
【図２】本発明の第１の実施形態における三つ折れ中留のカバー部材構造を示す斜視図、及びＧ−Ｇ断面を示す縦断面図である。
【図３】本発明の第２の実施形態における両プッシュ式三つ折れ中留のカバー部材構造を示す分解斜視図である。
【図４】本発明の第２の実施形態における両プッシュ式三つ折れ中留のカバー部材構造の斜視図、及びＡ−Ａ断面を示す縦断面図である。
【図５】本発明の第２の実施形態における両プッシュ式三つ折れ中留のカバー部材構造のＢ−Ｂ断面を示す縦断面図である。
【図６】本発明の第２の実施形態における両プッシュ式三つ折れ中留のカバー部材構造のＣ−Ｃ断面を示す縦断面図である。
【図７】本発明の第３の実施形態における両プッシュ式シングルタイプ中留のカバー部材構造を示す分解斜視図である。
【図８】本発明の第３の実施形態における両プッシュ式シングルタイプ中留のカバー部材構造の斜視図、及びＤ−Ｄ断面を示す縦断面図である。
【図９】本発明の第３の実施形態における両プッシュ式シングルタイプ中留のカバー部材構造のＥ−Ｅ断面、及びＦ−Ｆ断面を示す縦断面図である。
【図１０】第１の従来例における三つ折れ中留の構造を示す斜視図である。
【図１１】第２の従来例における両プッシュ式シングルタイプ中留の構造を示す斜視図である。
【図１２】第２の従来例における両プッシュ式シングルタイプ中留構造の主要部を示す横断面図である。
【図１３】第３の従来例における両プッシュ式三つ折れ中留の構造を示す斜視図である。
【符号の説明】
１０  三つ折れ中留
１１  表板
１１ａ、ｂ  表板の側壁
１１ｃ、ｄ  表板の側壁の下面
１１ｅ  表板の側壁の孔
１２  中板
１２ａ  軸受用筒部
１３  裏板
１３ａ  掛止爪
１３ｂ  筒部
１５  ばね棒
１６  ばね棒
１７  軸
１８  カバー部材
１８ａ、１８ｂ  カバー部材の側壁
１８ｃ、１８ｄ  突起部
１８ｅ  開口部
１９ａ  バンド
１９ｂ  バンド
２０  両プッシュ式三つ折れ中留
２１  中留本体
２１ａ、２１ｂ  中留本体の側壁
２１ｃ、２１ｄ  中留本体の側壁の孔
２１ｅ  中留本体の上面
２２  中板
２２ａ  係止穴
２２ｂ  軸受用筒部
２３  裏板
２３ａ  係止部
２３ｂ  筒部
２４ａ、２４ｂ  中留本体側壁の孔
２５、２６  ばね棒
２７  プッシュボタン
２８  カバー部材
２８ａ、２８ｂ  カバー部材の側壁
２８ｃ、２８ｄ、２８ｅ、２８ｆ  カバー部材の側壁の孔
２８ｇ  開口部
２８ｈ  窓
２９ａ  バンド
２９ｂ  バンド
３０  両プッシュ式シングルタイプ中留
３１  中留本体
３１ａ、３１ｂ  中留本体の側壁
３１ｃ、３１ｄ  中留本体の側壁の孔
３１ｅ、３１ｆ  中留本体側壁の下面
３２  蓋
３２ａ  係止部
３３ａ、３３ｂ  中留本体の凸部
３４  貫通溝
３５、３６  ばね棒
３７  プッシュボタン
３８  カバー部材
３８ａ、３８ｂ  カバー部材の側壁
３８ｃ、３８ｄ  突起部
３８ｅ、３８ｆ  カバー部材の側壁の孔
３８ｇ  開口部
３８ｈ  カバー部材の上面
３９ａ  バンドの先端
３９ｂ  バンドの先端
４０  中留本体の段部
４１  係止穴
４２  係合部
４３ａ、４３ｂ  座ぐり穴
４４ａ、４４ｂ  段付き穴
４５  ばね棒
４５ａ、４５ｂ  ばね棒の先端
４５ｃ、４５ｄ  ばね棒の軸
４６ａ、４６ｂ  中留本体側壁の孔
４７  カバー部材側壁の凸部
４８  カバー部材側壁の凹部
４９  切り欠き
５１  カバー部材側壁の凸部
５２  カバー部材側壁の凹部
５３ａ、５３ｂ  座ぐり穴
５４ａ、５４ｂ  段付き穴
５５  ばね棒
５５ａ、５５ｂ  ばね棒の先端
５５ｃ、５５ｄ  ばね棒の軸
５６  ばね棒
５６ａ、５６ｂ  ばね棒の先端
５６ｃ、５６ｄ  ばね棒の軸
【図１】
0004641098.tif 000002
【図２】
0004641098.tif 000003
【図３】
0004641098.tif 000004
【図４】
0004641098.tif 000005
【図５】
0004641098.tif 000006
【図６】
0004641098.tif 000007
【図７】
0004641098.tif 000008
【図８】
0004641098.tif 000009
【図９】
0004641098.tif 000010
【図１０】
0004641098.tif 000011
【図１１】
0004641098.tif 000012
【図１２】
0004641098.tif 000013
【図１３】
0004641098.tif 000014